(57)【特許請求の範囲】
【請求項１】
エレベ−タの動きを監視し指令を与えるモニタリングシステムと、複数のエレベータを群管理制御する群管理盤と、前記モニタリングシステムと前記群管理盤を結び指令の伝送を行う通信ネットワークにて構成されたエレベータ群管理システムにおいて、前記モニタリングシステムから前記群管理盤へ特定の運転を行う運転指令を伝送する一定時間前に、前記群管理盤へ前記特定の運転を行う予告指令を伝送する手段を備え、前記群管理盤は前記予告指令を受信後、前記複数のエレベータの中から前記特定の運転を行うエレベータに対して新たな呼びの割当てを禁止し、前記群管理盤は前記運転指令を受信後、前記エレベータに特定の運転を行わせることを特徴とするエレベータ群管理システム。
【請求項２】
エレベ−タの動きを監視し指令を与えるモニタリングシステムと、複数のエレベータを群管理制御する群管理盤と、前記モニタリングシステムと前記群管理盤を結び指令の伝送を行う通信ネットワークにて構成されたエレベータ群管理システムにおいて、前記モニタリングシステムから前記群管理盤へ特定の運転を行う予告指令を伝送して一定時間後に、前記群管理盤へ前記特定の運転を行う運転指令を伝送する手段を備え、前記群管理盤は前記予告指令を受信後、前記複数のエレベータの中から前記特定の運転を行うエレベータに対して新たな呼びの割当てを禁止し、前記群管理盤は前記運転指令を受信後、前記エレベータに特定の運転を行わせることを特徴とするエレベータ群管理システム。
【請求項３】
前記特定の運転とは、エレベータを休止する又は運転モードを変更することを特徴とする請求項１及び２記載のエレベータ群管理システム。
【発明の詳細な説明】
【０００１】
【発明の属する技術分野】
本発明は、複数のエレベ−タを制御するエレベータ群管理システムに関する。
【０００２】
【従来の技術】
図３は、従来のエレベ−タ群管理システムの構成を示す構成図である。
【０００３】
図３において、１はエレベータの動きを監視し指令を与えるモニタリングシステム、２は複数のエレベータが群管理制御されているエレベータグループ、３はモニタリングシステム１とエレベータグループ２を結び指令の伝送を行う通信ネットワーク、１１はスケジュール運転指令を入力する入力装置、１２は入力されたスケジュール運転指令を蓄積するスケジュール管理データベース、１３は定まった時刻にスケジュール管理データベース１２からスケジュール運転指令を取り出し伝送するスケジュール管理コンピューター、２１は複数のエレベータに呼びを割当て制御する群管理盤、２２a, ２２b, ２２cはエレベータを制御する制御盤である。
【０００４】
つぎに、上記構成の従来のエレベ−タ群管理システムの動作について説明する。
【０００５】
入力装置１１からスケジュール運転指令が入力され、スケジュール管理データベース１２へ蓄積される。
【０００６】
時刻Ｔcmdになるとスケジュール管理コンピューター１３はスケジュール運転指令を実行するため（ＳＧ１）、スケジュール管理データベース１２からスケジュール運転指令を取り出し、スケジュール管理コンピューター１３から通信ネットワーク３を経由して群管理２１へ伝送する（ＳＧ２）。
【０００７】
スケジュール運転指令を受け取った群管理盤２１は、対象のエレベータの制御盤にスケジュール運転指令を与えるとともに、残りのエレベータの制御盤に呼びを割当て群管理制御を継続する。
【０００８】
【発明が解決しようとする課題】
従来の技術において、エレベータグループがモニタリングシステムから受けるスケジュール運転指令は非常に強烈な外乱となる。
【０００９】
すなわち、複数のエレベータに呼びを割当て制御する群管理盤から見ると予測不可能な出来事として処理され、群管理盤が計画したサービスシーケンスを崩し、予報外れ・呼びの割当て変更・乗客の長待ち等の発生につながった。
【００１０】
このことは、スケジュール運転指令以外の場合も同様である。
【００１１】
本発明は、このような問題点を解決するためになされたもので、エレベータグループがモニタリングシステムから特定の運転を行う運転指令を受けても、エレベータの運行に支障のない、エレベータ群管理システムを得ることを目的とする。
【００１２】
【課題を解決するための手段】
本発明は、エレベ−タの動きを監視し指令を与えるモニタリングシステムと、複数のエレベータを群管理制御する群管理盤と、前記モニタリングシステムと前記群管理盤を結び指令の伝送を行う通信ネットワークにて構成されたエレベータ群管理システムにおいて、前記モニタリングシステムから前記群管理盤へ特定の運転を行う運転指令を伝送する一定時間前に、前記群管理盤へ前記特定の運転を行う予告指令を伝送する手段を備え、前記群管理盤は前記予告指令を受信後、前記複数のエレベータの中から前記特定の運転を行うエレベータに対して新たな呼びの割当てを禁止し、前記群管理盤は前記運転指令を受信後、前記エレベータに特定の運転を行わせるものである。
【００１３】
本発明は、エレベ−タの動きを監視し指令を与えるモニタリングシステムと、複数のエレベータを群管理制御する群管理盤と、前記モニタリングシステムと前記群管理盤を結び指令の伝送を行う通信ネットワークにて構成されたエレベータ群管理システムにおいて、前記モニタリングシステムから前記群管理盤へ特定の運転を行う予告指令を伝送して一定時間後に、前記群管理盤へ前記特定の運転を行う運転指令を伝送する手段を備え、前記群管理盤は前記予告指令を受信後、前記複数のエレベータの中から前記特定の運転を行うエレベータに対して新たな呼びの割当てを禁止し、前記群管理盤は前記運転指令を受信後、前記エレベータに特定の運転を行わせるものである。
【００１４】
また、前記特定の運転とは、あらかじめ予約されたスケジュールに従って運転するスケジュール運転であるものである。
【００１５】
また、前記特定の運転とは、直ちに実行に移される即時実行運転であるものである。
【００１６】
【発明の実施の形態】
実施形態１．
図１は、本発明の一実施形態であるエレベ−タ群管理システムの構成を示す構成図である。
【００１７】
図１において、上記従来例と同一符号及び記号は上記従来例の構成部分と同一または相当する構成部分を示し、同一または相当する動作をする。
したがって、上記従来例と本発明の構成は同じである。
【００１８】
つぎに、上記構成の本発明の一実施形態であるエレベータ群管理システムの動作について説明する。
【００１９】
入力装置１１からスケジュール運転指令が入力され、スケジュール管理データベース１２へ蓄積される。
【００２０】
スケジュール管理コンピューター１３はスケジュール運転指令を実行する時刻ＴcmdよりＴcmd1の時間だけ前に、すなわち、時刻Ｔcmd−Ｔcmd1になるとスケジュール運転予告指令を実行するため（ＳＧ３）、スケジュール管理データベース１２からスケジュール運転指令を取り出しスケジュール運転予告指令として、スケジュール管理コンピューター１３から通信ネットワーク３を経由して群管理盤２１へ伝送する（ＳＧ４）。
【００２１】
スケジュール運転予告指令を受け取った群管理盤２１は、スケジュール運転へ速やかに移行するための準備を行い（ＳＧ５）、スケジュール運転がスムーズに行われるように制御盤２２a, ２２b, ２２cへ呼びを割当てエレベータを制御する。例えば、あるエレベータが休止や運転モード変更のため、ある時点から通常のサービスが出来なくなる場合、そのエレベータへの新たな呼びの割当てを禁止し、その時点でそのエレベータがもう未サービスの割当て呼びを持たない様に割当てを行う。
【００２２】
その後時刻Ｔcmdになるとスケジュール管理コンピューター１３はスケジュール運転指令を実行するため（ＳＧ１）、スケジュール管理データベース１２からスケジュール運転指令を取り出し、スケジュール管理コンピューター１３から通信ネットワーク３を経由して群管理盤２１へ伝送する。（ＳＧ２）。
【００２３】
スケジュール運転指令を受け取った群管理盤２１は、対象のエレベータの制御盤にスケジュール運転指令を与えるとともに、残りのエレベータの制御盤に呼びを割当て群管理制御を継続する。このようにすると、スケジュール運転指令が実際に発行された時点で対象のエレベータのかごは既に空かごとなっており、残った呼びの割当て変更の必要がなくなるとともに、スケジュール運転指令がすぐに実行されることになる。
【００２４】
実施形態２．
図２は、本発明の一実施形態であるエレベ−タ群管理システムの構成を示す構成図である。
【００２５】
図２において、上記従来例と同一符号及び記号は上記従来例の構成部分と同一または相当する構成部分を示し、同一または相当する動作をする。
したがって、上記従来例と本発明の構成は同じである。
【００２６】
つぎに、上記構成の本発明の一実施形態であるエレベータ群管理システムの動作について説明する。
【００２７】
入力装置１１からスケジュール運転指令が入力され、スケジュール管理データベース１２へ蓄積される。
【００２８】
スケジュール管理コンピューター１３は時刻Ｔannになるとスケジュール運転予告指令を実行するため（ＳＧ１３）、スケジュール管理データベース１２からスケジュール運転指令を取り出しスケジュール運転予告指令として、スケジュール管理コンピューター１３から通信ネットワーク３を経由して群管理盤２１へ伝送する（ＳＧ１４）。
【００２９】
スケジュール運転予告指令を受け取った群管理盤２１は、スケジュール運転へ速やかに移行するための準備を行い（ＳＧ１５）、スケジュール運転がスムーズに行われるように制御盤２２a, ２２b, ２２cへ呼びを割当てエレベータを制御する。例えば、あるエレベータが休止や運転モード変更のため、ある時点から通常のサービスが出来なくなる場合、そのエレベータへの新たな呼びの割当てを禁止し、その時点でそのエレベータがもう未サービスの割当て呼びを持たない様に割当てを行う。
【００３０】
その後、スケジュール運転予告指令を実行する時刻ＴannよりＴann1の時間だけ後に、すなわち、時刻Ｔann+Ｔann1になるとスケジュール管理コンピューター１３はスケジュール運転指令を実行するため（ＳＧ１１）、スケジュール管理データベース１２からスケジュール運転指令を取り出し、スケジュール管理コンピューター１３から通信ネットワーク３を経由して群管理盤２１へ伝送する。（ＳＧ１２）。
【００３１】
スケジュール運転指令を受け取った群管理盤２１は、対象のエレベータの制御盤にスケジュール運転指令を与えるとともに、残りのエレベータの制御盤に呼びを割当て群管理制御を継続する。このようにすると、スケジュール運転指令が実際に発行された時点で対象のエレベータのかごは既に空かごとなっており、残った呼びの割当て変更の必要がなくなるとともに、スケジュール運転指令がすぐに実行されることになる。
【００３２】
なお、上記本発明の一実施形態では、スケジュール運転指令の場合を示したが、スケジュール運転指令以外の場合も同様である。
【００３３】
また、上記本発明の一実施形態では、モニタリングシステム１からエレベータグループ２へ特定の運転を行う運転指令・予告指令を伝送する場合を示したが、これらの一連の処理を群管理盤２１で行うことも可能である。
【００３４】
以上は、実施形態の一部を示したものであり、本発明は実施形態に限定されない。
【００３５】
【発明の効果】
以上のように本発明によれば、特定の運転を実行する前に適切な準備が行われる。
したがって、特定の運転を実行する場合に、予報外れ・呼びの割当て変更・乗客の長待ち等の発生を防ぐことができ、速やかに特定の運転が実行可能となる。
【００３６】
また、特定の運転は入力された時刻に自動的に実行するため、オペレーターがいない場合でも有効に機能する。
【００３７】
また、従来技術の構成の延長上に本発明は構成できるため、実現性が高い。
【図面の簡単な説明】
【図１】本発明の一実施形態であるエレベ−タ群管理システムの構成を示す構成図。
【図２】本発明の一実施形態であるエレベ−タ群管理システムの構成を示す構成図。
【図３】従来のエレベータ群管理システムの構成を示す構成図。
【符号の説明】
１                   モニタリングシステム
２                   エレベータグループ
３                   通信ネットワーク
１１                 入力装置
１２                 スケジュール管理データベース
１３                 スケジュール管理コンピューター
２１                 群管理盤
２２a, ２２b, ２２c  制御盤
【図１】
0004710104.tif 000002
【図２】
0004710104.tif 000003
【図３】
0004710104.tif 000004